(57)【要約】【課題】  簡易な構成で、しかも下方に位置する梁などに対する作業を容易に行うことができる踊り場の基礎構造を提供する。【解決手段】  板状の踊り場用基礎プレート１をその板面を水平にして水平方向に複数配設し、各踊り場用基礎プレート１は、第１のカール部２１が水平方向に延びる軸を中心として回動可能に支持され、第１のカール部２１に対向する第２のカール部２２が、隣接する踊り場用基礎プレート１の第１のカール部２１の上に載せられた状態で支持されている。第２のカール部２２側を持ち上げることで、水平方向に延びる軸を中心として踊り場用基礎プレート１が上方に回動する。【選択図】  図２
2010144342.tif 000002
【特許請求の範囲】
【請求項１】
階段の踊り場のモルタルなどの建築資材を受ける踊り場の基礎構造であって、
板状の踊り場用基礎プレートをその板面を水平にして水平方向に複数配設し、前記踊り場用基礎プレートを水平方向に延びる軸を回動中心として回動可能とした、ことを特徴とする踊り場の基礎構造。
【請求項２】
前記踊り場用基礎プレートは、一端部が水平方向に延びる軸を回動中心として回動可能に支持され、前記一端部に対向する他端部が隣接する踊り場用基礎プレートの一端部の上に載せられた状態で支持されている、ことを特徴とする請求項１に記載の踊り場の基礎構造。
【請求項３】
水平方向に複数配設され、階段の踊り場のモルタルなどの建築資材を受ける基礎を構成する踊り場用基礎プレートであって、
板状で、板面に対して平行に延びる軸を回動中心として回動可能に支持される回動支持部が一端部に設けられ、隣接する踊り場用基礎プレートの回動支持部の上に載せられた状態で支持される載置支持部が、前記一端部に対向する他端部に設けられている、
ことを特徴とする踊り場用基礎プレート。
【請求項４】
前記回動支持部は、前記一端部を巻くようにして曲げて構成されている、ことを特徴とする請求項３に記載の踊り場用基礎プレート。
【請求項５】
前記回動支持部と前記載置支持部との間に、前記回動中心の方向に沿って曲げられた補強部が形成されている、ことを特徴とする請求項３または４のいずれか１項に記載の踊り場用基礎プレート。
【発明の詳細な説明】
【技術分野】
【０００１】
この発明は、階段の踊り場のモルタルなどの建築資材を受ける踊り場の基礎構造および、踊り場の基礎を構成する踊り場用基礎プレートに関する。
【背景技術】
【０００２】
例えば、鉄骨階段に踊り場を形成する場合、従来、踊り場の基礎を構成する鉄板をささら桁（側板）の間に挟んだ状態で、鉄板をささら桁に溶接していた。しかし、このような溶接による組み付けでは、鉄板とささら桁とに溶接ひずみが生じる問題点があり、また、溶接のためのケガキなどが必要で製造効率が低い。しかも、作業者によって溶接品質が異なり、均一で良好な精度・品質を確保することが困難であった。このため、ささら桁にボルト接合することで、溶接を不要にした通路用ユニットが知られている（例えば、特許文献１参照。）。
【０００３】
この通路用ユニットは、図１２に示すように、下板１０１を構成する下垂直板１０６に突出条１１１が形成され、溝部１０９に高ナット１２３が固定されている。また、下垂直板１０６の外側面に、上下水平リブ１１３、１１４を有する補強垂直板１１２が固定され、下板１０１を構成する下水平板１０３の上面に、上水平板１１９が固定されている。さらに、上水平板１１９の上面側に突出条１１７が形成され、溝部１１５に高ナット１２３が固定されている。このような通路用ユニットの両側にささら桁を配置し、ささら桁の貫通孔からボルトを挿入して４箇所の高ナット１２３に螺合し、通路用ユニットをささら桁に固定する。さらに、下垂直板１０６の上端付近を連結部１２７とし、上水平板１１９の他端１２１側の下面を連結部１２８とし、連結部１２７、１２８を重ねて通路用ユニットを複数連結して配設するものである。
【特許文献１】特開２００１−３１７１６９号公報
【発明の開示】
【発明が解決しようとする課題】
【０００４】
ところで、上記のような通路用ユニットでは、下板１０１に補強垂直板１１２と上水平板１１９とが固定され、さらに突出条１１１、１１７が形成されて高ナット１２３が固定されるなど、複雑な構成となっており、製造に多大な時間と労力、そして費用とを要する。しかも、複数の板を重ね合わせて通路用ユニットを構成するため、下垂直板１０６と補強垂直板１１２との間などの重ね合わせ部や段差部に水などが溜まり、鉄板の腐食やモルタルなどとの接合不良などを招く場合がある。
【０００５】
また、ボルトを４箇所の高ナット１２３に螺合して通路用ユニットをささら桁に固定するため、例えば、通路用ユニットや階段をささら桁に取り付けたものを梁に設置する場合に、作業に多大な労力と時間とを要する。すなわち、梁は通路用ユニットの下方に位置するため、４つのボルトを外して通路用ユニットを取り外し、梁への設置、調整などを行った後に、再び通路用ユニットを所定の位置に配置して、４つのボルトを締め付けなければならない。
【０００６】
そこでこの発明は、簡易な構成で、しかも下方に位置する梁などに対する作業を容易に行うことができる踊り場の基礎構造および踊り場用基礎プレートを提供することを目的とする。
【課題を解決するための手段】
【０００７】
上記目的を達成するために請求項１に記載の発明は、階段の踊り場のモルタルなどの建築資材を受ける踊り場の基礎構造であって、板状の踊り場用基礎プレートをその板面を水平にして水平方向に複数配設し、前記踊り場用基礎プレートを水平方向に延びる軸を回動中心として回動可能とした、ことを特徴とする。ここで、踊り場には、階段の途中に設けられる踊り場のほかに、階段の最下位や最上位に設けられる踏み段やその他の通路も含み、以下同様とする。
【０００８】
この発明によれば、踊り場用基礎プレートが水平方向に延びる軸を中心にして回動可能となっている。つまり、踊り場用基礎プレートが上下の方向に回動、開閉可能となっている。
【０００９】
請求項２に記載の発明は、請求項１に記載の踊り場の基礎構造において、前記踊り場用基礎プレートは、一端部が水平方向に延びる軸を回動中心として回動可能に支持され、前記一端部に対向する他端部が隣接する踊り場用基礎プレートの一端部の上に載せられた状態で支持されている、ことを特徴とする。
【００１０】
請求項３に記載の発明は、水平方向に複数配設され、階段の踊り場のモルタルなどの建築資材を受ける基礎を構成する踊り場用基礎プレートであって、板状で、板面に対して平行に延びる軸を回動中心として回動可能に支持される回動支持部が一端部に設けられ、隣接する踊り場用基礎プレートの回動支持部の上に載せられた状態で支持される載置支持部が、前記一端部に対向する他端部に設けられている、ことを特徴とする。
【００１１】
この発明によれば、踊り場用基礎プレートの板面を水平にして配設した状態では、踊り場用基礎プレートの回動支持部が板面に平行に延びる軸、つまり水平方向に延びる軸を中心に回動可能に支持されている。すなわち、踊り場用基礎プレートが水平方向に延びる軸を中心にして回動可能で、上下の方向に回動、開閉可能となっている。一方、踊り場用基礎プレートの載置支持部が、隣接する踊り場用基礎プレートの回動支持部の上に載せられた状態で支持されており、載置支持部側を上げたり下げたりすることで、回動支持部が回動して踊り場用基礎プレート全体が上下方向に回動する。
【００１２】
請求項４に記載の発明は、請求項３に記載の踊り場用基礎プレートにおいて、前記回動支持部は、前記一端部を巻くようにして曲げて構成されている、ことを特徴とする。
【００１３】
請求項５に記載の発明は、請求項３または４に記載の踊り場用基礎プレートにおいて、前記回動支持部と前記載置支持部との間に、前記回動中心の方向に沿って曲げられた補強部が形成されている、ことを特徴とする。
【発明の効果】
【００１４】
請求項１に記載の発明によれば、踊り場用基礎プレートが上下の方向に回動、開閉可能となっているため、踊り場用基礎プレートの下方に位置する梁などに対する作業を行う際に、踊り場用基礎プレートを上方に回動して下方を開口することで、作業を行うことができる。また、この状態から踊り場用基礎プレートを下方に回動することで、下方を閉口することができる。このようにして、梁などに対する作業を容易かつ迅速に行うことができる。しかも、板状の踊り場用基礎プレートを複数配設して回動可能とするだけであるため、構成が簡易で、製造費を低く抑えることが可能となる。
【００１５】
請求項２に記載の発明によれば、踊り場用基礎プレートの一端部を回動可能に支持し、他端部を隣接する踊り場用基礎プレートの一端部の上に載せて支持するだけであるため、構成が簡易で、製造費を低く抑えることが可能となる。
【００１６】
請求項３に記載の発明によれば、踊り場用基礎プレートが上下の方向に回動、開閉可能となっているため、請求項１に記載の発明と同様に、踊り場用基礎プレートの下方に位置する梁などに対する作業を容易かつ迅速に行うことができる。また、踊り場用基礎プレートが板状で、一端部に回動支持部が設けられ、他端部に載置支持部が設けられているだけであるため、構成が簡易で、製造費を低く抑えることが可能となる。
【００１７】
請求項４に記載の発明によれば、踊り場用基礎プレートの一端部を巻くようにして曲げて回動支持部が構成されているため、構成が簡易で、しかも、巻くようにして曲げることで回動支持部および踊り場用基礎プレート全体の強度を高めることが可能となる。
【００１８】
請求項５に記載の発明によれば、補強部が形成されて踊り場用基礎プレートの強度、剛性が高められるため、所望の強度、剛性を要するのに踊り場用基礎プレートの板厚を薄くすることが可能となる。しかも、回動中心の方向に沿って曲げるだけで補強部を形成しているため、構成が簡易である。
【発明を実施するための最良の形態】
【００１９】
以下、この発明を図示の実施の形態に基づいて説明する。
【００２０】
（実施の形態１）
図１は、この実施の形態に係る踊り場用基礎プレート１を示す斜視図である。この踊り場用基礎プレート１は、板状で、板面を水平にして水平方向に複数配設され、階段の踊り場のモルタルなどの建築資材を受ける基礎を構成するプレートである。
【００２１】
踊り場用基礎プレート１は、一枚の主板２と、２つの軸支ワッシャ３とから構成されている。主板２は、長方形の鉄板・鋼板で構成され、長尺の一方の端部（一端部）に第１のカール部２１が形成され、長尺の他方の端部（他端部）に第２のカール部（載置支持部）２２が形成されている。つまり、第１のカール部２１と第２のカール部２２とは対向して形成されている。
【００２２】
第１のカール部２１は、図２に示すように、主板２の一端部を上方に円弧フック状（基端部が垂直で上端部が円弧状）に巻くようにして曲げて形成され、この第１のカール部２１の両端部内に、円板状の軸支ワッシャ３が固定されている。すなわち、軸支ワッシャ３の上部Ｗ１と下部Ｗ２において溶接されている。この軸支ワッシャ３には、中心に円状の支持孔３１が形成され、後述するボルト１１、１４で支持される軸支部となっている。このような第１のカール部２１と軸支ワッシャ３とによって回動支持部が構成され、後述するようにして軸支ワッシャ３の支持孔３１内にボルト１１、１４が装着されることで、主板２の板面に対して長尺方向に平行に延びる軸（ボルト１１、１４）を回動中心として、回動可能に支持されるようになっている。
【００２３】
第２のカール部２２は、主板２の他端部を上方に円弧フック状に巻くようにして曲げて形成され、第２のカール部２２の内面が第１のカール部２１の外面に密接して重なるように形成されている。つまり、後述するように、隣接する踊り場用基礎プレート１の第１のカール部２１（回動支持部）の上に載せられた状態で支持されるようになっている。
【００２４】
ここで、主板２の材質、板厚、第１のカール部２１の円弧角θ１および第２のカール部２２の円弧角θ２、軸支ワッシャ３の厚みおよび支持孔３１の径（ボルト１１、１４の径）は、後述するモルタルなどを支持できるように設定されている。また、第１のカール部２１の円弧角θ１は、軸支ワッシャ３を装着しやすいように９０度近くに設定され、第２のカール部２２の円弧角θ２は円弧角θ１よりも小さく設定されている。
【００２５】
次に、このような踊り場用基礎プレート１を用いた踊り場の基礎構造について説明する。図３は、この実施の形態に係る踊り場の基礎構造とその周辺の構造とを示す平面図、図４は、その正面図である。この踊り場の基礎構造は、階段の踊り場を構成し、モルタルなどの建築資材を受ける基礎構造であり、ささら桁（側板）１０の間に上記の踊り場用基礎プレート１が複数配設されている。
【００２６】
具体的には、図５に示すように、２つのささら桁１０がその板面が対向するように配設され、一方のささら桁１０には、植え込みボルト（ウエルドボルト）１１が取り付けられ、他方のささら桁１０には、植え込みボルト１１と対向する位置にボルト挿入孔１２が形成されている。このような植え込みボルト１１とボルト挿入孔１２とが、所定の間隔で、つまり踊り場用基礎プレート１の第１のカール部２１と第２のカール部２２とのピッチＰ（図２参照）で、かつ水平方向に複数設けられている。
【００２７】
そして、図６に示すように、踊り場用基礎プレート１の一方の軸支ワッシャ３の支持孔３１に植え込みボルト１１が挿入された状態で、植え込みボルト１１に第１のナット１３が締め付けられている。また、ボルト挿入孔１２と他方の軸支ワッシャ３の支持孔３１とに取付ボルト１４が挿入された状態で、取付ボルト１４に第２のナット１５が締め付けられている。ここで、一方のささら桁１０に植え込みボルト１１が取り付けられているため、一方の軸支ワッシャ３の支持孔３１に植え込みボルト１１を挿入することで、踊り場用基礎プレート１が植え込みボルト１１で支えられる。このため、踊り場用基礎プレート１が大きい場合や重い場合であっても、踊り場用基礎プレート１の取付作業を容易に行うこと、さらには一人で行うことが可能となっている。
【００２８】
このようにして複数の踊り場用基礎プレート１がささら桁１０に取り付けられ、さらに、図７に示すように、踊り場用基礎プレート１の第２のカール部２２が隣接する踊り場用基礎プレート１の第１のカール部２１の上に載せられた状態で支持されている。これにより、各踊り場用基礎プレート１が、その板面を水平にして水平方向に連続して配設された状態となっている。
【００２９】
このようにして踊り場用基礎プレート１が配設された状態で、各踊り場用基礎プレート１は開閉可能となっている。すなわち、ナット１３、１５を緩め、図８に示すように、第２のカール部２２側を持ち上げることで、水平方向に延びる軸、つまりボルト１１、１４を回動中心として踊り場用基礎プレート１が上方に回動し、踊り場用基礎プレート１の下方が開口した状態となる。さらに、この状態から、第２のカール部２２側を下方に下げることで、ボルト１１、１４を回動中心として踊り場用基礎プレート１が下方に回動し、踊り場用基礎プレート１の下方が閉口した状態となる。
【００３０】
一方、ささら桁１０には、図７に示すように、階段の各段を構成する階段ユニット５が複数配設され、互いに隣接する踊り場用基礎プレート１と階段ユニット５とが接続されている。このようにしてささら桁１０に踊り場の基礎と階段とが配設された状態で、図８、９に示すように、ささら桁１０が梁鋼（Ｉ型鋼）６に固定されている。すなわち、ささら桁１０の内面１０ａにはＬ字状の調整ブロック６１が複数溶接され、各調整ブロック６１の水平面部６１ａに調整ボルト６２が螺合されている。そして、ささら桁１０が所定の高さに位置し、かつ水平に位置するように、各調整ボルト６２の螺合位置（調整ボルト６２の先端が水平面部６１ａから突出する長さ）が調整され、調整ボルト６２の先端が梁鋼６の上面６ａに当接している。このようにして位置調整された状態で、接続板６３を介して、ささら桁１０が梁鋼６に固定されている。
【００３１】
このようにしてささら桁１０が梁鋼６に固定された状態で、図７に示すように、踊り場の基礎と階段の上に、つまり各踊り場用基礎プレート１と階段ユニット５との上に、モルタルＭが盛られ、その上に仕上げ板７が配設されているものである。
【００３２】
以上のように、この踊り場用基礎プレート１および踊り場の基礎構造によれば、各踊り場用基礎プレート１が回動、開閉可能なため、踊り場用基礎プレート１の下方に位置する梁鋼６などに対する作業を容易かつ迅速に行うことができる。例えば、ささら桁１０の高さなどを調整する際に、上記のようにして踊り場用基礎プレート１を開けて下方を閉口することで、調整ボルト６２の螺合調整を踊り場用基礎プレート１側から容易に行うことができる。また、調整が終わった後には、踊り場用基礎プレート１を閉めることで、下方を閉口することができる。これに対して、従来のように開閉不可能な場合には、調整ボルト６２の上方に位置する部位に切欠きを設け、この切欠きから作業を行い、作業後に板で切欠きを塞がなければならず、多大な時間と労力とを要するのみではなく、下面側から切欠きの周縁が見え、外観を損ねる。
【００３３】
また、板状の踊り場用基礎プレート１を複数配設して回動可能とするだけ、つまり主板２の一端部に第１のカール部２１を形成して軸支ワッシャ３を取り付け、他端部に第２のカール部２２を形成するだけであるため、構成が簡易で、製造費を低く抑えることが可能となる。しかも、第２のカール部２２を隣接する踊り場用基礎プレート１の第１のカール部２１の上に載せて支持する構造のため、主板２の他端部を支持する部材を別途設ける必要がなく、構成がさらに簡易となる。
【００３４】
さらには、主板２の端部を曲げて第１のカール部２１と第２のカール部２２とを形成するため、構成が簡易で、しかも、巻くようにして曲げることで踊り場用基礎プレート１の断面二次モーメント、断面係数が上がり、曲げ剛性などが高められる。この結果、主板２の板厚を薄くすることが可能となる。例えば、所定の応力、モーメントなどに耐えられるためには、カール部２１、２２を有さない平板では、３．２〜４．５ｍｍの板厚を要するのに対して、この踊り場用基礎プレート１では、板厚を２．３ｍｍにすることが可能となる。また、踊り場用基礎プレート１が一枚の主板２で構成され、両端部を除いて平板状で、段差やつなぎ目、重ね合わせ部などがないため、水などが溜まることもない。この結果、鉄板の腐食やモルタルなどとの接合不良などを招くこともない。
【００３５】
（実施の形態２）
図１０は、この実施の形態に係る踊り場用基礎プレート２０を示す正面図である。この実施の形態では、補強部２３が形成されている点で実施の形態１と構成が異なり、実施の形態１と同等の構成要素については、同一符号を付することで、その説明を省略する。
【００３６】
補強部２３は、第１のカール部２１（回動支持部）と第２のカール部２２（載置支持部）との間に形成され、踊り場用基礎プレート２０の回動中心、つまり対向する支持孔３１、３１の中心を結ぶ中心線の方向に沿って曲げられて形成されている。具体的には、主板２の中央部で、主板２の幅方向に延びる線（前記中心線と並行な線）２３ａを折り曲げ起点とし、第１のカール部２１の下端縁２１ａから水平に延びて軸支ワッシャ３と接するポイント２１ｂ（下部Ｗ２）と線２３ａとを円弧の端縁として下方に突出した円弧状に形成されている。ここで、この円弧（曲率）の大きさは、踊り場用基礎プレート２０に必要とされる強度、剛性や主板２の材質、板厚などによって決定される。そして、図１１に示すように、実施の形態１と同様にして、複数の踊り場用基礎プレート２０をささら桁１０に配設して、踊り場の基礎構造を構成するものである。
【００３７】
このような構成の踊り場用基礎プレート２０によれば、補強部２３が形成されているため、踊り場用基礎プレート２０の強度、剛性が高められる。すなわち、踊り場用基礎プレート２０の断面二次モーメント、断面係数が上がり、曲げ剛性などが高められる。この結果、所望の強度、剛性を要するのに踊り場用基礎プレート２０の板厚を薄くすることが可能となる。例えば、実施の形態１の踊り場用基礎プレート１では、２．３ｍｍの板厚を要するのに対して、この踊り場用基礎プレート２０では、板厚を２．０ｍｍにすることが可能となる。しかも、主板２を曲げるだけで補強部２３を形成しているため、構成が簡易で、製造費を低く抑えることができる。
【００３８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第１のカール部２１と軸支ワッシャ３とによって回動支持部を構成しているが、ボルト１１、１４を軸支する支持孔を有する筒状体を主板２の一端部の両端に固定してもよい。また、実施の形態２では、補強部２３を１つ設けているが、必要な強度などに応じて複数設けてもよい。
【図面の簡単な説明】
【００３９】
【図１】この発明の実施の形態１に係る踊り場用基礎プレートを示す斜視図である。
【図２】図１の踊り場用基礎プレートの正面図である。
【図３】図１の踊り場用基礎プレートを用いた踊り場の基礎構造とその周辺の構造とを示す平面図である。
【図４】図３の正面図である。
【図５】図１の踊り場用基礎プレートの取付方法を示す分解断面図である。
【図６】図１の踊り場用基礎プレートの取付状態を示す断面図である。
【図７】図３のＡ−Ａ断面図である。
【図８】図１の踊り場用基礎プレートを上方に回動して開けた状態および、ささら桁の梁鋼への取付状態を示す正面図（一部断面図）である。
【図９】図８における踊り場用基礎プレートを除いた状態での平面図である。
【図１０】この発明の実施の形態２に係る踊り場用基礎プレートを示す正面図である。
【図１１】図１０の踊り場用基礎プレートを用いた踊り場の基礎構造とその周辺の構造とを示す断面図である。
【図１２】従来の通路用ユニットを示す正面図である。
【符号の説明】
【００４０】
１、２０    踊り場用基礎プレート
２          主板
２１        第１のカール部（回動支持部）
２２        第２のカール部（載置支持部）
２３        補強部
３          軸支ワッシャ（回動支持部）
５          階段ユニット
６          梁鋼
７          仕上げ板
１０        ささら桁
１１        植え込みボルト（軸）
１４        取付ボルト（軸）
１３、１５  ナット
Ｍ          モルタル（建築資材）
【図１】
2010144342.tif 000003
【図２】
2010144342.tif 000004
【図３】
2010144342.tif 000005
【図４】
2010144342.tif 000006
【図５】
2010144342.tif 000007
【図６】
2010144342.tif 000008
【図７】
2010144342.tif 000009
【図８】
2010144342.tif 000010
【図９】
2010144342.tif 000011
【図１０】
2010144342.tif 000012
【図１１】
2010144342.tif 000013
【図１２】
2010144342.tif 000014